(57)【要約】【課題】記録対象とする層以外からの反射光の影響でフォーカスサーボが乱れても、記録品質の劣化を抑制する。【解決手段】光ディスク装置は、ＡＰＣ回路を備える。ＡＰＣ回路は、記録パワーをサンプルホールドし、目標値との差分を演算して記録パワーを調整するドライバ２０を備える。フォーカスエラー信号ＦＥが所定範囲を逸脱した場合にサンプルホールド回路２２でのサンプルホールドを無効化し、フォーカスエラー信号ＦＥの全波整流信号を増幅器４６，５０で増幅してドライバ２０に出力し、記録パワーを増大させる。【選択図】図１
2014235772.tif 000002
【特許請求の範囲】
【請求項１】
多層光ディスクにデータを記録するための記録レーザ光を所定タイミングでサンプルホールドして得られる検出パワーを目標値と比較し、目標値に一致するように前記記録パワーを調整する調整手段と、
フォーカスエラー信号が所定範囲内にあるか否かを検出する検出手段と、
前記フォーカスエラー信号が所定範囲を逸脱した場合に前記所定タイミングのサンプルホールドを無効として前記調整手段による調整を中断するとともに、前記フォーカスエラー信号のレベルをゲインＧで増幅して得られる信号を用いて前記記録パワーを増大させる増大手段と、
を備えることを特徴とする光ディスク装置。
【請求項２】
請求項１記載の光ディスク装置において、
前記ゲインＧは、フォーカスオフセットがゼロの状態で試し書きを行って得られる最適記録パワーＰｏと、フォーカスオフセットＦｏを印加した状態で試し書きを行って得られる最適記録パワーＰｆｏとの差分に応じて設定される
ことを特徴とする光ディスク装置。
【請求項３】
請求項１，２のいずれかに記載の光ディスク装置において、
前記調整手段は、
記録レーザ光の記録パワーを検出する受光素子と、
前記受光素子で検出された検出パワーを前記所定タイミングでサンプルホールドするサンプルホールド回路と、
前記サンプルホールド回路でサンプルホールドされた検出パワーと最適記録パワーＰｏの差分値を演算する手段と、
前記差分値を用いて前記記録パワーを調整するドライバと、
を備え、
前記増大手段は、
前記検出手段からの検出信号を用いて前記サンプルホールド回路での所定タイミングのサンプルホールドを無効とする信号を出力する論理ゲートと、
前記フォーカスエラー信号を全波整流する全波整流回路と、
前記全波整流回路で全波整流されたフォーカスエラー信号を前記ゲインＧで増幅する増幅器と、
前記増幅器で増幅されたフォーカスエラー信号を前記ドライバに出力する手段と、
を備えることを特徴とする光ディスク装置。
【発明の詳細な説明】
【技術分野】
【０００１】
本発明は光ディスク装置に関し、特に記録パワーの調整に関する。
【背景技術】
【０００２】
光ディスク装置では、光ディスクにレーザ光を照射し、その反射光を用いてフォーカスサーボをかけながらデータ記録を行う。この際に、光ディスクが多層の光ディスクである場合、記録対象とする層以外からの反射光の影響により、フォーカスサーボ信号が乱され、合焦状態がずれて、記録品質が劣化することがある。
【０００３】
特許文献１には、光ディスク上での光ビームのフォーカス状態に応じて生成されるフォーカスエラー信号に基づいて、光ビームのデフォーカス量を検出し、検出されるデフォーカス量が所定の閾値を超える場合に、記録パワーをデフォーカス状態用に切り替えることが記載されている。
【０００４】
特許文献２には、フォーカスエラー信号に基づいて得られる光ディスクの記録面に対するレーザ光のフォーカスオフセット量に応じて記録パワーを補正することが記載されている。
【０００５】
特許文献３には、最適記録パワーを決定するＯＰＣを実行した後、対物レンズのフォーカス位置を変位させながら最適記録パワーでテスト記録を行い、最適フォーカスオフセット量のパラメータを決定することが記載されている。
【先行技術文献】
【特許文献】
【０００６】
【特許文献１】特開２００８−２６２６５６号公報
【特許文献２】特開２００８−１０８３９８号公報
【特許文献３】特許第３７３４８１４号
【発明の概要】
【発明が解決しようとする課題】
【０００７】
記録対象とする層以外からの反射光の影響を排除するためには、予め記録対象層以外からの反射光の影響が最も少なくなるようなフォーカス位置を探索しておき、これを光ディスクにディスク情報として記録しておくことが考えられるが、最適フォーカス点を探索する作業が煩雑であること、最適フォーカス点が同一メーカの光ディスクであっても異なり得ること、最適フォーカス点が光ディスクの状態（面振れ等）により変化し得ること考慮すると本質的な解決とはいい難い。
【０００８】
他方、上記の特許文献１では、記録パワーをデフォーカス状態用に切り替えているが、データ記録中にデフォーカス量が所定の閾値を超える場合に、一旦記録を中断してデフォーカス用の記録パワーに変更し、その後にデータ記録を再開しており、任意の位置でデータ記録を中断できないため（記録単位の境界でしか記録中断できない）、記録品質の劣化が依然として生じるおそれがあるだけでなく、記録の中断と再開が生じるために記録時間が増大してしまうおそれもある。
【０００９】
本発明の目的は、多層光ディスクにデータを記録する際に、記録対象とする層以外からの反射光の影響でフォーカスサーボが乱れても、データ記録を中断することなく、記録品質の劣化を抑制できる光ディスク装置を提供することにある。
【課題を解決するための手段】
【００１０】
本発明は、多層光ディスクにデータを記録するための記録レーザ光を所定タイミングでサンプルホールドして得られる検出パワーを目標値と比較し、目標値に一致するように前記記録パワーを調整する調整手段と、フォーカスエラー信号が所定範囲内にあるか否かを検出する検出手段と、前記フォーカスエラー信号が所定範囲を逸脱した場合に前記所定タイミングのサンプルホールドを無効として前記調整手段による調整を中断するとともに、前記フォーカスエラー信号のレベルをゲインＧで増幅して得られる信号を用いて前記記録パワーを増大させる増大手段を備えることを特徴とする。
【００１１】
本発明では、フォーカスエラー信号が所定範囲内にある場合には調整手段、すなわちＡＰＣ（オートパワーコントロール）手段で記録パワーが目標値に一致するように調整するが、フォーカスエラー信号が所定範囲を逸脱する場合には記録パワーが不足して記録品質が劣化するため、調整手段での所定タイミングのサンプルホールドを無効とする。そして、フォーカスエラー信号のレベルをゲインＧで増幅して得られる信号を用いて記録パワーを増大させる。
【００１２】
本発明の１つの実施形態では、前記ゲインＧは、フォーカスオフセットがゼロの状態で試し書きを行って得られる最適記録パワーＰｏと、フォーカスオフセットＦｏを印加した状態で試し書きを行って得られる最適記録パワーＰｆｏとの差分に応じて設定されることを特徴とする。
【００１３】
また、本発明の他の実施形態では、前記調整手段は、記録レーザ光の記録パワーを検出する受光素子と、前記受光素子で検出された検出パワーを前記所定タイミングでサンプルホールドするサンプルホールド回路と、前記サンプルホールド回路でサンプルホールドされた検出パワーと最適記録パワーＰｏの差分値を演算する手段と、前記差分値を用いて前記記録パワーを調整するドライバとを備え、前記増大手段は、前記検出手段からの検出信号を用いて前記サンプルホールド回路での所定タイミングのサンプルホールドを無効とする信号を出力する論理ゲートと、前記フォーカスエラー信号を全波整流する全波整流回路と、前記全波整流回路で全波整流されたフォーカスエラー信号を前記ゲインＧで増幅する増幅器と、前記増幅器で増幅されたフォーカスエラー信号を前記ドライバに出力する手段とを備えることを特徴とする。
【発明の効果】
【００１４】
本発明によれば、多層の光ディスクにデータを記録する際に、記録対象とする層以外からの反射光の影響でフォーカスサーボが乱れても、データ記録を中断することなく、記録品質の劣化を抑制できる。
【図面の簡単な説明】
【００１５】
【図１】実施形態の回路構成図である。
【図２】実施形態の処理フローチャートである。
【図３】実施形態のＯＰＣ時の処理説明図である。
【図４】実施形態のタイミングチャートである。
【図５】従来のタイミングチャートである。
【発明を実施するための形態】
【００１６】
以下、図面に基づき本発明の実施形態について説明する。
【００１７】
図１に、本実施形態における光ディスク装置が備えるＡＰＣ（オートパワーコントロール）回路の構成図を示す。
【００１８】
ＡＰＣ回路は、主に、再生パワー駆動回路と、記録パワー駆動回路と、レーザダイオード（ＬＤ）ドライバ２０と、レーザダイオード（ＬＤ）３８と、受光素子４０と、フォーカスエラー信号（ＦＥ）に基づき記録パワーを調整する調整回路と、全体を制御する制御部４を備える。
【００１９】
再生パワー駆動回路は、サンプルホールド回路（Ｓ／Ｈ）１０と、ローパスフィルタ（ＬＰＦ）１２と、アナログデジタルコンバータ（ＡＤＣ）１４と、加算器１６と、再生デジタルアナログコンバータ（ＤＡＣ）１８を備える。
【００２０】
Ｓ／Ｈ１０は、ストラテジブロック６からのサンプリングタイミング信号を用いて受光素子４０からの再生レーザ光の反射光信号をサンプリングしてＬＰＦ１２に出力する。
【００２１】
ＬＰＦ１２は、サンプリングされた信号から高周波成分を除去し、再生レーザ光の再生パワー信号としてＡＤＣ１４に出力する。
【００２２】
ＡＤＣ１４は、再生パワー信号を所定ビット数のデジタル信号に変換して加算器１６に出力する。
【００２３】
加算器１６は、制御部４から供給された再生パワー目標値から検出された再生パワー値を減算し、その差分値を再生ＤＡＣ１８に出力する。
【００２４】
再生ＤＡＣ１８は、差分値をアナログ信号に変換してＬＤドライバ２０の加算器２０ａに出力する。
【００２５】
データの再生時には、ＬＤドライバ２０の加算器２０ａからの信号がＬＤ３８に供給され、ＬＤ３８の再生パワーが目標値となるように増減調整される。
【００２６】
また、記録パワー駆動回路は、Ｓ／Ｈ２２と、ＬＰＦ２４と、ＡＤＣ２６と、加算器２８と、記録１ＤＡＣ３０と、加算器３２と、記録２ＤＡＣ３４と、加算器３６と、コンパレータ４２と、全波整流器４４，４８と、アンプ４６，５０と、スイッチ５２，５４を備える。
【００２７】
Ｓ／Ｈ２２は、ストラテジブロック６からのサンプリングタイミング信号とコンパレータ４２からの判定信号との論理積を演算するＡＮＤゲート８からの信号を用いて受光素子４０からの記録レーザ光の反射光信号をサンプリングしてＬＰＦ２４に出力する。従って、Ｓ／Ｈ２２は、ストラテジブロック６で規定されるサンプリングタイミングであって、かつ、コンパレータ４２の判定結果が特定の判定結果である場合のみ記録パワーをサンプリングして出力する。なお、ストラテジブロック６によるサンプリングタイミングは、任意の規定してもよいが、短いパルス長ではサンプリングし難いという問題があるため、例えば、６Ｔ以上のパルス長でサンプリングするようにサンプリングタイミングを規定するのが望ましい。
【００２８】
ＬＰＦ２４は、サンプリングされた信号から高周波成分を除去し、記録レーザ光の記録パワー信号としてＡＤＣ２６に出力する。
【００２９】
ＡＤＣ２６は、記録パワー信号を所定ビット数のデジタル信号に変換して加算器２８に出力する。
【００３０】
加算器２８は、制御部４から供給された記録パワー目標値から検出された記録パワー値を減算し、その差分値を記録１ＤＡＣ３０に出力する。
【００３１】
記録１ＤＡＣ３０は、差分値をアナログ信号に変換して加算器３２に出力する。
【００３２】
加算器３２は、記録１ＤＡＣ３０からの信号と、スイッチ５２からの信号を加算してＬＤドライバ２０の加算器２０ａに出力する。スイッチ５２は、コンパレータ４２からの判定信号によりオン／オフ制御される。
【００３３】
また、記録１ＤＡＣ３０とは別個に、記録２ＤＡＣ３４が設けられ、アナログ信号を加算器３６に出力する。記録２ＤＡＣ３４は、所定の記録ストラテジにおけるブーストパルスのパワーを規定するものであり、例えば記録ストラテジとしてパルスの先頭と最後にブーストパルスを付加するいわゆるキャッスルストラテジでは当該ブーストパルスのパワーを規定する。
【００３４】
加算器３６は、記録２ＤＡＣ３４からの信号と、スイッチ５４からの信号を加算してＬＤドライバ２０の加算器２０ｂに出力する。スイッチ５４は、スイッチ５２と同様にコンパレータ４２からの判定信号によりオン／オフ制御される。
【００３５】
コンパレータ４２は、フォーカスエラー信号ＦＥが所定範囲内にあるか否かを検出する検出手段として機能し、フォーカスエラー信号ＦＥを所定の第１閾値及び第２閾値（但し、第１閾値＞第２閾値）と大小比較し、フォーカスエラー信号ＦＥが所定範囲、つまり第１閾値と第２閾値の間にあるか否かを判定してその判定結果を出力する。具体的には、フォーカスエラー信号ＦＥが所定範囲内にあればＬｏｗとなり、所定の範囲を逸脱する場合にＨｉとなる判定信号を出力する。
【００３６】
コンパレータ４２の判定信号は、ＮＯＴゲートを介してＡＮＤゲート８に供給される。従って、Ｓ／Ｈ２２は、ストラテジブロック６で規定されるサンプリングタイミングであって、かつ、フォーカスエラー信号ＦＥが所定範囲内にあるときのみ記録パワーをサンプリングすることになる。言い換えれば、Ｓ／Ｈ２２は、たとえストラテジブロック６で規定されるサンプリングタイミングであっても、フォーカスエラー信号ＦＥが所定範囲を逸脱した場合には記録パワーをサンプリングしないことになる。
【００３７】
また、コンパレータ４２の判定信号は、スイッチ５２，５４に供給される。スイッチ５２，５４は、それぞれコンパレータ４２の判定信号がＨｉとなるとオンとなり、判定信号がＬｏｗとなるとオフとなる。従って、フォーカスエラー信号ＦＥが所定範囲内にあるときには、加算器３２は記録１ＤＡＣ３０からの信号をそのままＬＤドライバ２０に出力し、かつ、加算器３６も記録２ＤＡＣ３４からの信号をそのままＬＤドライバ２０に出力する。他方、フォーカスエラー信号ＦＥが所定範囲を逸脱したときには、加算器３２は記録１ＤＡＣ３０からの信号にアンプ４６からの信号を加算してＬＤドライバ２０に出力し、かつ、加算器３６も記録２ＤＡＣ３４からの信号にアンプ５０からの信号を加算してＬＤドライバ２０に出力する。
【００３８】
全波整流器４４，４８は、フォーカスエラー信号ＦＥを全波整流してそれぞれアンプ４６，５０に出力する。
【００３９】
アンプ４６，５０は、それぞれゲインＧ１，Ｇ２でフォーカスエラー信号ＦＥの全波整流信号を増幅してスイッチ５２，５４に出力する。アンプ４６のゲインＧ１及びアンプ５０のゲインＧ２は、制御部４によりデータ記録に先立つＯＰＣ（Optimum Power Control）で決定される。
【００４０】
本実施形態のＡＰＣ回路は以上のような構成であり、データ再生時には、再生ＤＡＣ１８からの信号がＬＤドライバ２０に供給される。ＬＤドライバ２０は、再生ＤＡＣ１８からの信号をそのままＬＤ３８に供給してＬＤ３８の再生パワーが目標値に一致するように調整する。
【００４１】
データ記録時は、フォーカスエラー信号ＦＥが所定範囲内であるか所定範囲から逸脱するかでその動作が切り替わる。すなわち、フォーカスエラー信号ＦＥが所定範囲内の場合、記録１ＤＡＣ３０からの信号がＬＤドライバ２０に供給されるとともに、記録２ＤＡＣ３４からの信号がＬＤドライバ２０に供給される。ＬＤドライバ２０は、再生ＤＡＣ１８からの信号に記録１ＤＡＣ３０からの信号を加算器２０ａで加算し、さらにこの信号に記録２ＤＡＣ３４からの信号を加算器２０ｂで加算してＬＤ３８に供給してＬＤ３８の記録パワーが目標値に一致するように調整する。フォーカスエラー信号ＦＥが所定範囲を逸脱する場合、Ｓ／Ｈ２２で新たなサンプリングは行われず、前回ホールドした信号がそのまま継続して出力され、記録１ＤＡＣ３０からの信号にアンプ４６からの信号が加算器３２で加算されてＬＤ２０に供給される。さらに、記録２ＤＡＣ３４からの信号にアンプ５０からの信号が加算器３６で加算されてＬＤドライバ２０に供給される。ＬＤドライバ２０は、再生ＤＡＣ１８からの信号に加算器３２からの信号を加算器２０ａで加算し、さらにこの信号に加算器３６からの信号を加算器２０ｂで加算してＬＤ３８に供給する。従って、この場合、フォーカスエラー信号ＦＥが所定範囲内におけるようなＡＰＣは行われず、アンプ４６のゲインＧ１及びアンプ４８のゲインＧ２で増幅されたフォーカスエラー信号ＦＥの全波整流波形のレベルに応じた分だけ記録パワーを増大させる。アンプ４６のゲインＧ１及びアンプ５０のゲインＧ２の決定方法についてはさらに後述する。
【００４２】
図２に、本実施形態におけるデータ記録時の処理フローチャートを示す。
【００４３】
データを記録する際には、制御部４は、データ記録に先立ってＯＰＣを実行し、最適記録パワーＰｏを取得する（Ｓ１０１）。ＯＰＣは公知であり、光ディスクのテスト領域でテストデータを種々の記録パワーで試し書きし、テストデータの再生品質、例えばβ値を検出して所望の再生品質が得られる記録パワーを最適記録パワーとして設定する処理である。このときのＯＰＣは、合焦状態で実行される。
【００４４】
次に、制御部４は、非合焦状態で、具体的にはフォーカスオフセットＦｏを加えた状態でＯＰＣを実行し、最適記録パワーＰｆｏを取得する（Ｓ１０２）。フォーカスオフセットＦｏを加えた非合焦状態でのＯＰＣでは、所望の再生品質を得るためにはより多くの記録パワーが必要になる。従って、一般に、Ｐｆｏ＞Ｐｏである。
【００４５】
ＯＰＣを実行してＰｏ及びＰｆｏを取得した後、制御部４は、ＡＰＣを実行して記録パワーを目標値に調整しつつデータを光ディスクに記録する（Ｓ１０３）。すなわち、Ｓ１０１で取得した最適記録パワーＰｏを目標値として加算器２８に供給し、ＬＤ３８からの記録パワーが目標値Ｐｏとなるように調整してデータを記録する。
【００４６】
データを記録中、コンパレータ４２でフォーカスエラー信号ＦＥが所定範囲内であるか否かを監視し、フォーカスエラー信号ＦＥが所定範囲を逸脱したか否かを判定する（Ｓ１０４）。所定範囲内である場合（Ｓ１０４でＮＯ）、そのままデータ記録を続行する。所定範囲を逸脱している場合（Ｓ１０４でＹＥＳ）、コンパレータ４２の判定信号はＬｏｗからＨｉに切り替わり、Ｓ／Ｈ２２でのサンプリングが中断されてＡＰＣが中断される（Ｓ１０５）。そして、制御部４は、Ｓ１０１及びＳ１０２で取得したＰｏ及びＰｆｏを用いてアンプ４６，５０のゲインＧ１，Ｇ２を設定する。具体的には、制御部４は、フォーカスエラー信号ＦＥの所定範囲からの逸脱分がフォーカスオフセットＦｏに相当するときに、加算器３２，３６で加算されて増大される記録パワーの増大分がＰｏとＰｆｏの差分、つまりΔＰ＝Ｐｆｏ−Ｐｏに一致するようにゲインＧ１，Ｇ２を設定する（Ｓ１０６）。
【００４７】
図３に、ＯＰＣ実行時の処理を示す。図において、横軸は記録パワーであり、縦軸は再生信号品質としてのβ値である。図中、実線１００は、フォーカスオフセット０、つまり合焦状態において記録パワーを種々変化させてテストデータを記録し、テストデータを再生して得られるβ値の変化を示す。β値が目標β値となる記録パワーＰｏが最適記録パワーとして設定される。
【００４８】
また、図中、破線１０２は、フォーカスオフセットＦｏを加えた非合焦状態において記録パワーを種々変化させてテストデータを記録し、テストデータを再生して得られるβ値の変化を示す。β値が目標β値となる記録パワーＰｆｏが最適記録パワーとして設定される。
【００４９】
フォーカスオフセットＦｏにより生じた記録パワーの増大分はΔＰ＝Ｐｆｏ−Ｐｏであり、フォーカスがＦｏだけずれた場合には記録パワーをΔＰだけ増大すれば記録品質を劣化させることなくデータを記録することができる。
【００５０】
他方、データ記録中はＡＰＣにより記録パワーを目標値Ｐｏに調整しているため、このままではフォーカスエラー信号ＦＥに応じて記録パワーを調整することができない。
【００５１】
そこで、本実施形態では、フォーカスエラー信号ＦＥが所定範囲を逸脱した場合にＡＰＣを中断するとともに、フォーカスエラー信号ＦＥに応じて記録パワーを増大調整するものとし、しかも、フォーカスエラー信号ＦＥの逸脱分がフォーカスオフセットＦｏに相当するときに記録パワーの増大分がＰｆｏ−Ｐｏに一致するようにゲインＧ１，Ｇ２を設定しているので、フォーカスエラー信号ＦＥの逸脱量に応じて適応的に記録パワーが増大されることとなり、これによりたとえフォーカスエラー信号ＦＥが所定範囲を逸脱した場合でもデータ記録を中断することなく、記録パワーを速やかに適当な量だけ増大調整することができる。
【００５２】
なお、本実施形態において、フォーカスエラー信号ＦＥが所定範囲を逸脱し、その後に所定範囲内に再び復帰した場合には、コンパレータ４２の判定信号はＨｉからＬｏｗに切り替わり、Ｓ／Ｈ２２ではストラテジブロック６で規定されるタイミングで受光素子４０からの信号がサンプリングされ、かつ、スイッチ５２，５４がともにオフとなるので、再びＡＰＣにより目標値Ｐｏに一致するように記録パワーが調整される。
【００５３】
図４に、本実施形態のタイミングチャートを示す。図４（ａ）はフォーカスエラー信号ＦＥの波形（２００）であり、破線はコンパレータ４２で比較の基準となる第１閾値及び第２閾値を示す、第１閾値と第２閾値の幅３００が所定範囲であり、コンパレータ４２ではフォーカスエラー信号ＦＥがこの幅３００内にあるか否かを判定して判定信号を出力する。
【００５４】
図４（ｂ）はフォーカスエラー信号ＦＥの全波整流波形（２０２）であり、全波整流器４４，４８の出力波形である。
【００５５】
図４（ｃ）はコンパレータ４２の判定信号波形（２０４）であり、フォーカスエラー信号ＦＥが幅３００内にあればＬｏｗ、幅３００を逸脱すればＨｉとなる。
【００５６】
図４（ｄ）は記録パワーのレベルである。記録パワーは、再生パワーに重畳して（加算器２０ａで加算されて）設定される。図において、破線２０６は発光量０のレベルであり、破線２０８は再生パワーのレベル、破線２１０は記録パワー（記録１パワー）のレベル、破線２１２は記録パワー（記録２）のレベルである。記録ストラテジは記録パルスの先頭と後ろにブーストパルスを付加するキャッスルストラテジとし、記録１パワーは記録ストラテジの中央のレベルを示し、記録２パワーは記録ストラテジの先頭と後ろのレベルを示す。図において、記録データとして、４Ｔマーク、６Ｔスペース、７Ｔマーク、５Ｔスペース、３Ｔマーク、６Ｔスペース、４Ｔマーク、３Ｔスペース、８Ｔマークの場合を示す。フォーカスエラー信号ＦＥが幅３００内にあるときには一定レベル（目標値Ｐｏ）であるが、フォーカスエラー信号ＦＥが幅３００を逸脱するときにはフォーカスエラー信号ＦＥの全波整流波形レベル及び所定のゲインＧ１，Ｇ２で増大調整される。
【００５７】
図４（ｅ）はＳ／Ｈ１０のサンプリングタイミング波形である。ストラテジブロック６で規定されるタイミング２１４でサンプリングされる。
【００５８】
図４（ｆ）はＳ／Ｈ２２のサンプリングタイミング波形である。ストラテジブロック６で規定されるタイミング２１６ではサンプリングされないことを破線で示す。ストラテジブロック６からはサンプリングタイミングを示すパルスが出力されても、ＡＮＤゲート８によりサンプリングタイミングが無効化されるからである。
【００５９】
図５に、比較のため従来装置のタイミングチャートを示す。
【００６０】
図５（ａ）は記録パワーのレベルであり、破線２０６は発光量０のレベル、破線２０８は再生パワーのレベル、破線２１０は記録パワー（記録１パワー）のレベル、破線２１２は記録パワー（記録２）のレベルである。
【００６１】
図５（ｂ）はＳ／Ｈ１０のサンプリングタイミング波形である。
【００６２】
図５（ｃ）はＳ／Ｈ２２のサンプリング波形である。従来装置では、コンパレータ４２やスイッチ５２、５４は設けられておらず、このためストラテジブロック６で規定されたサンプリングタイミングでサンプリングされ、ＡＰＣにより記録パワーが常に目標値Ｐｏに一致するように調整される。本実施形態との相違は明らかである。
【００６３】
なお、本実施形態では、ＯＰＣ実行時にフォーカスオフセットを付加して最適記録パワーＰｆｏを設定し、Ｐｏ及びＰｆｏを用いてアンプ４６，５０のゲインＧ１，Ｇ２を決定しているが、予め固定のゲインＧ１，Ｇ２を設定して簡易的に記録パワーを調整してもよい。
【００６４】
また、本実施形態では、ストラテジとしてキャッスルストラテジを用いているが、これに限定されるものではなく任意のストラテジ（例えば、記録パルスの先頭部分のみにブーストパルスを付加するストラテジ）を用いることができる。
【符号の説明】
【００６５】
１０，２２  サンプルホールド回路（Ｓ／Ｈ）、１６，２８，３２，３６  加算器、４２  コンパレータ、４４，４８  全波整流器、４６，５０  アンプ、５２，５４  スイッチ。
【図１】
2014235772.tif 000003
【図２】
2014235772.tif 000004
【図３】
2014235772.tif 000005
【図４】
2014235772.tif 000006
【図５】
2014235772.tif 000007